(57)【要約】【課題】  大地震で大きな揺れに対しても家具が転倒しない様にする器具が必要である。誰でもが簡単に施工、取り付けられるシステムの物が求められる。又、家具と天井の間の無駄なスペースを安全で且つ有効利用が求められている。【解決手段】  収納式家具転倒防止ボックスは上箱と下箱とパンタグラフ式ジャッキで構成されたジヤッキボックスと用品、書類、衣類などが収納できる収納ボックスの組み合わせで構成する。家具と天井の間の隙間に本考案の収納式家具転倒防止ボックス設置し、ジヤッキボックスのロットを回転さすことにより、ジヤッキボックスの天場面の全面で床と家具と天井に圧力をかけ、且つ床と家具と天井を一体化させ家具が転倒しない様にした。【選択図】図１
0003124980.tif 000002
【実用新案登録請求の範囲】
【請求項１】
大地震で部屋に置いた家具が転倒しないように、家具の天場と天井の間の隙間を埋め、且つ上下に圧力をかけて、床と家具と天井を一体化さす為にパンタグラフ式ジャッキを用いてジャッキボックス内のパンタグラフ式ジャッキのロットを回転さすことにより上箱を無段階で上下出来るようにした構造を有する収納式家具転倒防止ボックス
【請求項２】
収納式家具転倒防止ボックスは上箱と下箱とパンタグラフ式ジャッキ及びジャッキ用ドライバーで構成されたジヤッキボックスと書類、用品、衣類などが収納できる収納ボックスの組み合わせで構成された収納式家具転倒防止ボックス。
【請求項３】
ジャッキのロットの回転伝達部分は市販されているインパクトドライバーの六角棒を
回転ロット先端の中心に溶接した構造。
【考案の詳細な説明】
【技術分野】
【０００１】
大地震時に家具が転倒しないように、床と家具と天井を一体化さす為にパンタグラフ式ジャッキを用いてジヤッキボックスの上箱が無段階で上下出来るようにした構造を有する収納式家具転倒防止ボックスである。
【背景技術】
【０００２】
家具と天井の間に伸縮棒をもってつっぱる構造の物が存在していた。
この方法は大きな地震の揺れには不安定であり、取り付けるのが難しい作業が必要である。
【０００３】
家具と天井の間に箱を置き隙間を埋めるだけのものも存在していた。
この方法は大きな地震の揺れには不安定である。
【考案の開示】
【考案が解決しようとする課題】
【０００４】
家具と天井の間の隙間を埋め、且つ上下に圧力をかけて、床と家具と天井が一体化する事が求められる。
【０００５】
家具と天井の間の隙間を埋め、床と家具と天井を一体化し、且つ上下に圧力をかける為にパンタグラフ式ジャッキを用いて無段階でジヤッキボックスの上箱が上下出来るようにした。
【０００６】
パンタグラフ式ジャッキは無段階で上下された状態で、何処の位置ででも確実にブレーキがかかる特徴を採用した。
【０００７】
誰でもが簡単に設置、取り付けが出来なければならない。
【課題を解決するための手段】
【０００８】
上箱と下箱とパンタグラフ式ジャッキで構成されたジヤッキボックスである。
【０００９】
家具と床と天井を一体化し、且つ上下に圧力をかける為にパンタグラフ式ジャッキを用いて無段階でジヤッキボックスが上下出来るようにした。
【００１０】
パンタグラフ式ジャッキにより上箱と下箱が上下するボックスと用品、書類、衣類などが収納できる収納ボックスを組み合わせた。
【考案の効果】
【００１１】
本考案は家具の天場と天井の間の隙間を埋め、且つ上下に圧力をかけて、床と家具と天井を一体化さす為にパンタグラフ式ジャッキを用いてジヤッキボックスの上箱が無段階で上下出来るようにした事により家具が転倒しない様にした。
【００１２】
家具と天井との隙間の間に本考案の収納式家具転倒防止ボックスを設置する事により
従来使われてなかった無駄なスペースを有効に活用することができる
【考案を実施するための最良の形態】
【００１３】
家具と天井の間の隙間に本考案の収納式家具転倒防止ボックス設置し、ジヤッキボックスのロットを回転さすことにより、収納式家具転倒防止ボックスの下部及び天場面、全面で床と家具と天井に圧力をかけ、且つ床と家具と天井を一体化させ家具が転倒しない様にする。
【００１４】
収納式家具転倒防止ボックスは上箱と下箱とパンタグラフ式ジャッキで構成されたジヤッキボックスとジャッキ用ドライバーと用品、書類、衣類などが収納できる収納ボックスの組み合わせで構成し、図５のように形成する。
【実施例】
【００１５】
家具と天井の間の隙間に本考案の収納式家具転倒防止ボックス設置しパンタグラフ式ジャッキのロットを回転さすことにより床と家具と天井に収納式家具転倒防止ボックスの天場全体面で、家具と天井に圧力をかけ家具が転倒しない様にする。
【００１６】
収納式家具転倒防止ボックスは上箱と下箱とパンタグラフ式ジャッキで構成された
ジヤッキボックスとジャッキ上げ下げロット廻し用ドライバーと用品、書類、衣類などが収納できる収納ボックスの組み合わせで構成する。
【図面の簡単な説明】
【００１７】
【図１】本考案の収納式家具転倒防止ボックスのジヤッキボックス断面図である
【図２】本考案の収納式家具転倒防止ボックスのジヤッキボックス外観正面図である。
【図３】本考案の収納式家具転倒防止ボックスのジヤッキボックス外観斜視図である。
【図４】収納ボックスの外観斜視図である。
【図５】家具及び本考案の収納式家具転倒防止ボックス設置外観斜視図である。
【図６】イ、は家具及び本考案の収納式家具転倒防止ボックス設置側面外観図でありロ、はジヤッキアップし床と家具と天井に圧力がかかった状態の本考案の収納式家具転倒防止ボックス設置側面外観図である。
【符号の説明】
【００１８】
１  パンタグラフ式ジャッキ
２  ジャッキ上げ下げロット
３  ロット六角棒
４  ジャッキ用ドライバー
５  ドライバー六角穴
６  ジャッキ上部合板
７  ジャッキ下部合板
８  上箱
９  下箱  
１０  下箱ドライバー挿入用切カギ
１１  収納ボックス実箱
１２  収納ボックス蓋
１３  家具
１４  床
１５  壁
１６  天井
１７  上箱ドライバー挿入用切カギ
【図１】
0003124980.tif 000003
【図２】
0003124980.tif 000004
【図３】
0003124980.tif 000005
【図４】
0003124980.tif 000006
【図５】
0003124980.tif 000007
【図６】
0003124980.tif 000008
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
大地震で部屋に置いた家具が転倒しないように、家具の天場と天井の間の隙間を埋め、且つ上下に圧力をかけて、床と家具と天井を一体化さす為にパンタグラフ式ジャッキを用いてジャッキボックス内のパンタグラフ式ジャッキのロットを回転さすことにより上箱を無段階で上下出来るようにした構造を有する収納式家具転倒防止ボックス
【請求項２】
収納式家具転倒防止ボックスは上箱と下箱とパンタグラフ式ジャッキ及びジャッキ用ドライバーで構成されたジヤッキボックスと書類、用品、衣類などが収納できる収納ボックスの組み合わせで構成された収納式家具転倒防止ボックス。
【請求項３】
ジャッキのロットの回転伝達部分は市販されているインパクトドライバーの六角棒を回転ロット先端の中心に溶接したことを特徴とする請求項１に記載の収納式家具転倒防止ボックス。